(57)【要約】【課題】  簡単な操作で安全に肘掛けの昇降ができ、しかも簡単な構成で安価に製造できる椅子型便器の肘掛け昇降機構を提供すること。【解決手段】  各肘掛け本体１３に垂設されており、側壁１６に鉛直方向に間隔を隔てて複数の開口１７が形成されている肘掛け基部１５と、ばね３４により付勢されるようにして肘掛け基部１５内に配設され肘掛け基部１５に対し相対的に昇降可能とされた被拘束部材２３と、肘掛け基部１５のいずれかの開口１７を介して被拘束部材２３のいずれかの凹部２５に先端部が嵌合するばね３９により付勢されたストッパ４０と、肘掛け基部１５に対し被拘束部材２３を相対移動させて、被拘束部材２３の凹部２５を肘掛け基部１５の開口１７と対向しない状態にする駆動部材３５とを有し、肘掛け基部１５の最上位の開口１７の上方に下降停止用開口１８を形成し、被拘束部材２３の最上位の凹部２５の上方に、下降停止用凹部２６と、肘掛け基部１５を相対的に下降したときに肘掛け基部１５内にばね２８に抗して収納されるストッパ阻止部材２９とを形成したもの。【選択図】      図３
2006087461.tif 000002
【特許請求の範囲】
【請求項１】
椅子本体と、この椅子本体に個別に昇降可能に取付けられている左右１対の肘掛けとを有する椅子型便器において、
いずれかの前記肘掛けに対応するように前記椅子本体にそれぞれ取付けられており、対応する前記肘掛けの昇降を案内する１対の案内部材と、
前記各肘掛けの頂部に水平方向に延在するように形成されている肘掛け本体と、
前記各肘掛け本体に垂設され対応する前記案内部材に沿って昇降可能とされており、側壁に鉛直方向に間隔を隔てて複数の開口が形成されている肘掛け基部と、
鉛直方向の一方にばねにより付勢されるようにして前記肘掛け基部内に配設され対応する肘掛け基部に対し相対的に昇降可能とされており、自由状態において前記肘掛け基部の開口に対向する複数の凹部が形成されている被拘束部材と、
突出する方向にばねにより付勢されるようにして前記椅子本体に配設され前記肘掛け基部のいずれかの開口を介して前記被拘束部材のいずれかの凹部に先端部が嵌合して対応する前記肘掛け部材の昇降を拘束する１対のストッパと、
前記肘掛け基部に対し前記被拘束部材を相対移動させて、前記被拘束部材の凹部を前記肘掛け基部の開口と対向しない状態にする駆動部材と
を有し、
前記肘掛け基部の最上位の前記開口の上方に、前記各開口より鉛直方向寸法の大きな下降停止用開口を形成し、前記被拘束部材の最上位の前記凹部の上方に、前記下降停止用開口を除く他の各開口が前記各凹部に対向しない状態のときに前記下降停止用開口に対向し前記ストッパの先端部が容易に抜け出しうるように嵌合する下降停止用凹部と、この下降停止用凹部に前記ストッパの先端部が嵌合したときにこのストッパに当接されるように突出方向にばねにより付勢され前記肘掛け基部を相対的に下降したときに前記肘掛け基部内にばねに抗して収納されるストッパ阻止部材とを形成したことを特徴とする椅子型便器の肘掛け昇降機構。
【請求項２】
前記肘掛け基部の前記下降停止用開口の上方に他の開口を形成するとともに、前記被拘束部材の前記下降停止用凹部の上方に、前記下降停止用開口を除く他の各開口が前記各凹部に対向した状態のときに前記他の開口に対向する他の凹部を形成し、前記肘掛け本体の上面が前記椅子本体の座面と面一になったときに前記ストッパが前記他の開口を介して前記他の凹部に嵌合することを特徴とする請求項１に記載の椅子型便器の肘掛け昇降機構。
【請求項３】
前記ストッパ阻止部材が前記下降停止用開口を介して突出している前記ストッパに下方から当接する際に、前記ストッパと摺接してばねに抗して後退し、前記ストッパを通過しうるようにする傾斜頂面を前記ストッパ阻止部材に形成したことを特徴とする請求項１または請求項２に記載の椅子型便器の肘掛け昇降機構。
【請求項４】
前記駆動部材は前記肘掛け本体の裏面近傍に配設されているレバーであることを特徴とする請求項１ないし請求項３のいずれか１項に記載の椅子型便器の肘掛け昇降機構。
【発明の詳細な説明】
【技術分野】
【０００１】
本発明は、左右に１対の肘掛けを有する椅子型便器の肘掛け昇降機構に係り、特に、肘掛けを簡単かつ安全に昇降できる椅子型便器の肘掛け昇降機構に関する。
【背景技術】
【０００２】
この種の椅子型便器の肘掛けは、通常、使用者の体格に合わせて高さ調整できるようになっている。また、この種の椅子型便器は、ベッドの横に設置して、使用者がベッドから移乗して使用することがあるが、その際には、ベッド側にある一方の肘掛けを座面と面一になるまで下降させて、使用者が容易に移乗できるように構成されている（例えば、特許文献１、２、３参照）。
【０００３】
【特許文献１】特開平９−１２２０４１号公報
【特許文献２】特開２００３−２９００８０号公報
【特許文献３】特開２００４−９７３４３号公報
【発明の開示】
【発明が解決しようとする課題】
【０００４】
しかしながら、前述した特許文献１ならびに特許文献２に記載の発明においては、肘掛けを下降するためのロック解除機構が肘掛けの下方となる椅子本体の側面に配設されているため、ベッドに接するように椅子型便器を設置すると、ロック解除機構を操作できなくなってしまうため、椅子型便器をベッドから多少離間して設置しなければならず、ベッドから椅子型便器への使用者の移乗が難しかった。
【０００５】
また、特許文献１に記載の発明においては、ロック解除機構の操作がロックを解除したうえでノブを引っ張るという複雑な操作であったため、使用者が操作しにくいという問題もあった。
【０００６】
さらに、特許文献１ならびに特許文献２に記載の発明においては、肘掛けを下降すると、肘掛けの下に指を挟んでしまうおそれがあり、下降動作に細心の注意が必要であった。
【０００７】
さらにまた、前述した特許文献３に記載の発明においては、ロックレバーを水平方向に回動したうえで肘掛けを把持して昇降させることにより肘掛けの昇降を行うようになっているため、操作が煩雑であった。また、構成が複雑であるため、部品点数が多くなり、その結果コスト高であった。
【０００８】
そこで、本発明は、簡単な操作で安全に肘掛けの昇降ができ、しかも簡単な構成で安価に製造できる椅子型便器の肘掛け昇降機構を提供することを目的としている。
【課題を解決するための手段】
【０００９】
前述した目的を達成するため、請求項１に係る本発明の椅子型便器の肘掛け昇降機構の特徴は、椅子本体と、この椅子本体に個別に昇降可能に取付けられている左右１対の肘掛けとを有する椅子型便器において、いずれかの前記肘掛けに対応するように前記椅子本体にそれぞれ取付けられており、対応する前記肘掛けの昇降を案内する１対の案内部材と、前記各肘掛けの頂部に水平方向に延在するように形成されている肘掛け本体と、前記各肘掛け本体に垂設され対応する前記案内部材に沿って昇降可能とされており、側壁に鉛直方向に間隔を隔てて複数の開口が形成されている肘掛け基部と、鉛直方向の一方にばねにより付勢されるようにして前記肘掛け基部内に配設され対応する肘掛け基部に対し相対的に昇降可能とされており、自由状態において前記肘掛け基部の開口に対向する複数の凹部が形成されている被拘束部材と、突出する方向にばねにより付勢されるようにして前記椅子本体に配設され前記肘掛け基部のいずれかの開口を介して前記被拘束部材のいずれかの凹部に先端部が嵌合して対応する前記肘掛け部材の昇降を拘束する１対のストッパと、前記肘掛け基部に対し前記被拘束部材を相対移動させて、前記被拘束部材の凹部を前記肘掛け基部の開口と対向しない状態にする駆動部材とを有し、前記肘掛け基部の最上位の前記開口の上方に、前記各開口より鉛直方向寸法の大きな下降停止用開口を形成し、前記被拘束部材の最上位の前記凹部の上方に、前記下降停止用開口を除く他の各開口が前記各凹部に対向しない状態のときに前記下降停止用開口に対向し前記ストッパの先端部が容易に抜け出しうるように嵌合する下降停止用凹部と、この下降停止用凹部に前記ストッパの先端部が嵌合したときにこのストッパに当接されるように突出方向にばねにより付勢され前記肘掛け基部を相対的に下降したときに前記肘掛け基部内にばねに抗して収納されるストッパ阻止部材とを形成した点にある。
【００１０】
そして、このような構成により、いずれかの肘掛けを最大限下降させるには、まず、ストッパが肘掛け基部の１つの開口を介して被拘束部材の１つの凹部に嵌合している状態において、駆動部材を操作して被拘束部材を肘掛け基部に対して相対移動させる。このとき、肘掛けに下降する方向の力を掛けておく。
【００１１】
すると、肘掛け基部の開口に対し被拘束部材の凹部が次第にずれていくので、ストッパの先端部は次第に被拘束部材の凹部から抜け出すことになる。そして、最終的には、ストッパの先端部は被拘束部材の凹部から完全に抜け出し、単に肘掛け基部の開口内に嵌合することになるので、この状態においては、肘掛けに作用している下降する力によりストッパの先端部はこのストッパを付勢しているばねに抗して肘掛け基部の開口から完全に抜け出すことになる。したがって、肘掛け基部は、被拘束部材とともに案内部材に沿って下降することになる。
【００１２】
そして、この肘掛け基部および被拘束部材の下降は、ストッパの先端部が肘掛け基部の下降停止用開口を介して被拘束部材の下降停止用凹部内に臨んだときにストッパの先端部にストッパ阻止部材が側方から当接することにより一旦停止される。これは、肘掛けが一気に下降して、肘掛け本体と椅子本体との間に指などが挟まるのを防止するためである。
【００１３】
つぎに、駆動部材から指を離すと、ばねにより付勢されている被拘束部材は肘掛け基部に対し相対的に移動して被拘束部材の各凹部が肘掛け基部の各開口に対向することになる。この状態においては、ストッパ阻止部材は肘掛け基部内にばねに抗して収納されることになるため、肘掛けに下降する方向の力を掛けることにより、ストッパは被拘束部材の下降停止用凹部から抜け出すことになる。したがって、肘掛け基部は、被拘束部材とともに案内部材に沿って再度下降し、最大限下降して停止することになる。
【００１４】
請求項２に係る本発明の椅子型便器の肘掛け昇降機構の特徴は、前記肘掛け基部の前記下降停止用開口の上方に他の開口を形成するとともに、前記被拘束部材の前記下降停止用凹部の上方に、前記下降停止用開口を除く他の各開口が前記各凹部に対向した状態のときに前記他の開口に対向する他の凹部を形成し、前記肘掛け本体の上面が前記椅子本体の座面と面一になったときに前記ストッパが前記他の開口を介して前記他の凹部に嵌合する点にある。
【００１５】
そして、このような構成を採用したことにより、肘掛け本体の上面が椅子本体の座面と面一になったときにストッパが肘掛け基部の開口を介して被拘束部材の凹部に嵌合して停止することになる。
【００１６】
請求項３に係る本発明の椅子型便器の肘掛け昇降機構の特徴は、前記ストッパ阻止部材が前記下降停止用開口を介して突出している前記ストッパに下方から当接する際に、前記ストッパと摺接してばねに抗して後退し、前記ストッパを通過しうるようにする傾斜頂面を前記ストッパ阻止部材に形成した点にある。
【００１７】
そして、このような構成を採用したことにより、肘掛けを上昇させる際にストッパを傾斜斜面に沿わせるようにして確実にストッパ阻止部材とストッパとの当接を回避させることができる。
【００１８】
請求項４に係る本発明の椅子型便器の肘掛け昇降機構の特徴は、前記駆動部材が前記肘掛け本体の裏面近傍に配設されているレバーである点にある。そして、このような構成を採用したことにより、椅子型便器の使用者が容易にレバーを操作して肘掛けの高さ調整を行うことができる。
【発明の効果】
【００１９】
本発明によれば、使用者により簡単な操作で安全に肘掛けを昇降することができる。しかも簡単な構成で安価に製造することができる。
【発明を実施するための最良の形態】
【００２０】
図１および図２は本発明に係る肘掛け昇降機構を適用した椅子型便器の全体を示すものであり、椅子型便器１は椅子本体２を有しており、この椅子本体２には、この椅子本体２から垂設された各２本の前脚３，３および後脚４，４によりより支持されている。前記各後脚４は、前記椅子本体２の上方にまで延在しており、両後脚４，４間には背もたれ５が橋架されている。
【００２１】
前記椅子本体２上には座板６が着脱可能に載置されており、この座板６の下方には、図示しない弁座ならびに弁壺などが配置されている。また、前記椅子本体２の両側にはそれぞれ側板７が取付けられており、各側板７の後部および対応する前記各後脚４には、水平方向に延在するように形成された固定肘掛け本体９を備えた固定肘掛け８が高さ調整可能に固定されている。
【００２２】
前記椅子本体２の各側板７には、それぞれ肘掛け１１が図３に示す本発明の肘掛け昇降機構１１を介して昇降可能に支持されており、前記肘掛け１２の水平方向に延在するように形成されている肘掛け本体１３の上面は、前記固定肘掛け本体８の上面と面一となりうるように昇降されるようになっている。
【００２３】
なお、前記両肘掛け１２，１２は、左右対称に各側板７に支持されているので、以下の説明においては、椅子型便器１の右側に位置する一方の肘掛け１２を両肘掛け１２，１２の代表として説明する。
【００２４】
前記側板７には、扁平な鉛直方向の筒状をなす案内部材１４が固定されている。この案内部材１４は、かならずしも筒状に限られるものではない。
【００２５】
前記案内部材１４内には、図３に詳示されているように、前記肘掛け本体１３に垂設されている長尺の肘掛け基部１５が挿通されており、この肘掛け基部１５は、前記案内部材１４に沿って昇降されるようになっている。前記肘掛け基部１５は、横断面四角筒状に形成されており、前記側板７側の側壁１６には、鉛直方向に等しい間隔を隔てて複数（本実施形態においては７個）の同形四角形状の開口１７，１７…が形成されている。
【００２６】
また、最上位の前記開口１７の上方には、隣位の１対の開口１７，１７間の間隔の約２倍の間隔を隔てて後述する下降停止用開口１８が形成されている。この下降停止用開口１８の縦方向寸法は、各開口１７の縦方向寸法の３倍弱とされている。
【００２７】
さらに、前記下降停止用開口１８の上方には、隣位の１対の開口１７，１７間の間隔の約７倍の間隔を隔てて後述する他の開口１９が形成されている。この開口１９の縦方向寸法は、各開口１７の縦方向寸法とほぼ等しくされている。
【００２８】
なお、前記側板７に対向する前記案内部材１４の側壁２０には、前記各開口１７，１８，１９に対向しうる開口２１が形成されている。
【００２９】
前記肘掛け基部１５内には、この肘掛け基部１５に対し相対的に昇降可能とされている被拘束部材２３が配設されている。この被拘束部材２３は、横断面四角形に形成されており、前記肘掛け基部１５より若干短い縦方向寸法を有している。
【００３０】
また、前記肘掛け基部１５の各開口１７が形成された側壁１６に対向する前記被拘束部材２３の側面２４には、鉛直方向に等しい間隔を隔てて複数（本実施形態においては７個）の同形四角形状の凹部２５，２５…が形成されている。
【００３１】
前記各凹部２５の幅方向寸法は、前記各開口１７，１８，１９の幅方向寸法より大きく、各凹部２５の縦方向寸法は、前記各開口１７の縦方向寸法より大きい寸法に形成されている。また、各凹部２５には、それぞれ上向きに浅くなる傾斜面２５Ａと下向きに浅くなる傾斜面２５Ｂとがそれぞれ形成されている。
【００３２】
そして、隣位の１対の前記凹部２５，２５の間隔は、各凹部２５の縦方向の中間位置に各開口１７の縦方向の中間位置が同時に対向するように設定されている。
【００３３】
また、最上位の前記凹部２５の上方には、前記各凹部２５より縦方向寸法を大きく形成した後述する下降停止用凹部２６が形成されている。この下降停止用凹部２６は、前記各凹部２５より浅く形成されており、この下降停止用凹部２６には、上向きに浅くなり斜度が前記傾斜面２５Ａより小さい傾斜面２６Ａと下向きに浅くなり斜度が前記傾斜面２５Ｂより小さい傾斜面２６Ｂとがそれぞれ形成されている。
【００３４】
そして、前記下降停止用凹部２６は、前記各凹部２５が前記肘掛け基部１５の側壁１６の各開口１７に対向しているとき、および、前記各凹部２５が前記肘掛け基部１５の側壁１６に被覆されるようにして肘掛け基部１５内に収納されたときのいずれのときにも前記側壁１６の下降停止用開口１８に対向する状態をとるようになっている。
【００３５】
さらに、前記被拘束部材２３には、前記下降停止用凹部２６の上側に隣接して横方向の収納用凹部２７が形成されており、この収納用凹部２７内には、コイルばね２８により前方に突出するように付勢されているストッパ阻止部材２９が収納されている。このストッパ阻止部材２９は、前記各凹部２５が前記肘掛け基部１５の側壁１６の各開口１７に対向しているときには、前記肘掛け基部１５の側壁１６に被覆されるようにして肘掛け基部１５内に収納され、また、前記各凹部２５が前記肘掛け基部１５の側壁１６に被覆されるようにして肘掛け基部１５内に収納されたときには、前記側壁１６の下降停止用開口１８に対向する状態をとるようになっている。
【００３６】
前記ストッパ阻止部材２９は、下部が上部より前方に突出するように傾斜状に形成された傾斜頂面３０を有している。この傾斜頂面３０は、このストッパ阻止部材２９を前記肘掛け基部１５の側壁１６内に収納されるように下降停止用開口１８の上縁部１８Ａに沿って後退しうるようにするためと、前記被拘束部材２３の上昇時に後述するストッパ４０を乗り越えてストッパ阻止部材２９がストッパ４０より上方に移動できるようにするためである。
【００３７】
なお、前記ストッパ阻止部材２９は図示しない留め具により最大限前記肘掛け基部１５の側壁１６の外面とほぼ面一になるように設定されている。
【００３８】
前記ストッパ阻止部材２９より上方の前記被拘束部材２３には、前記肘掛け１２が下降して肘掛け本体１３の上面が前記座板６ならびに側板７の上面と面一になったときに前記肘掛け基部１５の開口１９を介して前記ストッパ４０の先端部が嵌合される他の凹部３１が形成されている。この凹部３１は、前記各凹部２５と同一の縦方向寸法を有しており、この凹部３１にも、上向きに浅くなる傾斜面３１Ａと下向きに浅くなる傾斜面３１Ｂとがそれぞれ形成されている。
【００３９】
前記肘掛け基部１５の下部開口３２は蓋体３３により閉鎖されており、この蓋体３３内には、前記被拘束部材２３を上方に付勢するコイルばね３４が配設されている。なお、前記被拘束部材２３を下方に付勢するように構成することも可能である。
【００４０】
また、前記被拘束部材２３の上端と前記肘掛け本体９の下面との間には、前記コイルばね３４の付勢力に抗して被拘束部材２３を下降させ、前記肘掛け基部１５に対し被拘束部材２３を相対移動させる駆動部材としてのレバー３５が前記肘掛け基部１５を肘掛け本体１３に固定するための固定板３６に垂設されている鉛直方向に延在する支軸３７に鉛直面内において回動可能に支持されている。
【００４１】
ところで、前記コイルばね３４により前記被拘束部材２３と前記固定板３６との間に前記レバー３５の先端部を挟持するのが自由状態であり、自由状態において、前記各凹部２５，２６，３１は、それぞれ前記肘掛け基部１５の各開口１７，１８，１９に対向するようになっている。
【００４２】
前記案内部材１４の側壁２０に形成されている前記開口２１に対向する部位の前記側板７には、横方向の収納用凹部３８が形成されており、この収納用凹部３８内には、コイルばね３９により前方に突出するように付勢されている前記ストッパ４０が収納されている。このストッパ４０の長手方向の中間位置には、先細の段部４１が形成されており、この段部４１が前記案内部材１４の開口２１の周縁に当接することによりストッパ４０の先端部が各凹部２５に嵌合した状態以上に突出しえないようになっている。また、前記ストッパ４０の先端部は、上下からテーパ状に形成されており、前記肘掛け基部１５の各開口１７，１８，１９ならびに前記被拘束部材２３の各凹部２５，２６，３１から抜け出し易いようにされている。
【００４３】
つぎに、前述した構成からなる本実施形態の作用について説明する。
【００４４】
使用の初期設定として、使用者の体格に合わせるように各固定肘掛け８の固定肘掛け本体９の高さを決めたうえで各固定肘掛け８をねじにより各側板７および後脚４に固定する。また、各肘掛け１２の肘掛け本体１３を固定肘掛け本体９の高さと合わせるためにレバー３５を引き上げて、被拘束部材２３をコイルばね３４に抗して肘掛け基部１５に対して下方に相対移動させ、ストッパ４０の先端部を被拘束部材２３のそれまで嵌合していた凹部２５から抜き出す。そして、肘掛け本体１３を上下のいずれかの方向に移動させて固定肘掛け本体９の高さと合せる。その後、レバー３５から指を離して、コイルばね３４の付勢力により被拘束部材２３を肘掛け基部１５に対して上方に相対移動させ、ストッパ４０を肘掛け基部１５のいずれかの開口１７を介して被拘束部材２３のいずれかの凹部２５に嵌合させて肘掛け１３を固定する。この状態が図４に示されている。
【００４５】
この図４に示すように肘掛け１２を所望の高さに固定している状態において、図示しないベッドから使用者が移乗するなどのために、左右いずれかの肘掛けを最大限下降させる動作について説明する。
【００４６】
まず、図４に示すストッパ４０が肘掛け基部１５のある開口１７を介して被拘束部材２３のある凹部２５に嵌合している状態において、図５に示すように、レバー３５を引き上げて、被拘束部材２３をコイルばね３４に抗して肘掛け基部１５に対して下方に相対移動させる。このとき、肘掛け本体１３に手のひらなどにより下降する方向の力を掛けておく。
【００４７】
すると、被拘束部材２３の肘掛け基部１５に対する下方への相対移動により肘掛け基部１５の各開口１７に対し被拘束部材２３の各凹部２５が次第にずれていくので、ストッパ４０の先端部は次第に被拘束部材２３のそれまで嵌合していた凹部２５から抜け出すことになる。そして、被拘束部材２３の肘掛け基部１５に対する下方への相対移動により最終的には、ストッパ４０の先端部が被拘束部材２３の凹部２５から完全に抜け出すことになる。
【００４８】
この状態において、ストッパ４０は、コイルばね３９の付勢力により単に肘掛け基部１５の開口１７内に嵌合することになるので、肘掛け１２に作用している下降する力によりストッパ４０の先端部は、このストッパ４０を付勢しているコイルばね３９に抗して肘掛け基部１５の開口１７から完全に抜け出すことになる。したがって、肘掛け基部１５は、被拘束部材２３とともに案内部材１４に沿って下降することになる。
【００４９】
そして、この肘掛け基部１５および被拘束部材２３の下降は、図６に示すように、ストッパ４０の先端部が肘掛け基部１５の下降停止用開口１８を介して被拘束部材２３の下降停止用凹部２６内に臨んだときにストッパ４０の先端部にストッパ阻止部材２９が側方から当接することにより一旦停止される。これは、肘掛け１２が一気に下降して、肘掛け本体１３と椅子本体２との間に使用者の指などが挟まるのを防止するためである。
【００５０】
この肘掛け基部１５および被拘束部材２３の下降が停止した状態において、図７に示すように、レバー３５から指を離すと、コイルばね３４により上方に付勢されている被拘束部材２３は肘掛け基部１５に対し相対的に上方に移動して、被拘束部材２３の各凹部２５が肘掛け基部１５の各開口１７に対向することになる。この状態においては、ストッパ阻止部材２９は、その傾斜頂面３０が肘掛け基部１５の下降停止用開口１８の上縁部１８Ａに沿うようにして肘掛け基部１５内にコイルばね２８の付勢力に抗して収納されることになるため、使用者が肘掛け１２に下降する方向の力を掛けることにより、ストッパ４０は被拘束部材２３の下降停止用凹部２６から抜け出すことになる。したがって、肘掛け基部１５は、被拘束部材２３とともに案内部材１４に沿って再度下降を開始し、可能な限り下降して停止することになる。このとき、図８に示すように、ストッパ４０の先端部は、肘掛け基部１５の最上位最上位の開口１９を介して被拘束部材２３の最上位の凹部３１に嵌合することになるので、肘掛け１２はこの状態に保持されることになる。
【００５１】
そこで、使用者は椅子型便器１の座板６の上面と面一になるように下降されて保持された肘掛け１２の肘掛け本体１３の上面を乗り越えて容易にベッドから椅子型便器１に移乗することができる。
【００５２】
図８に示す状態から下降している肘掛け１２を上昇させるには、図９に示すように、再度レバー３５を引き上げる。すると、前述したように被拘束部材２３がコイルばね３４に抗して肘掛け基部１５に対して下方に相対移動されることになるが、このとき、肘掛け本体１３に使用者が上昇する方向の力を掛けておく。
【００５３】
すると、被拘束部材２３の肘掛け基部１５に対する下方への相対移動により肘掛け基部１５の開口１９に対し被拘束部材２３の凹部３１が次第に下方にずれ、ストッパ４０の先端部は次第に被拘束部材２３のそれまで嵌合していた凹部３１から抜け出すことになる。そして、被拘束部材２３の肘掛け基部１５に対する下方への相対移動により最終的には、ストッパ４０の先端部が被拘束部材２３の凹部３１から完全に抜け出すことになる。
【００５４】
この状態において、ストッパ４０は、コイルばね３９の付勢力により単に肘掛け基部１５の開口１９内に嵌合することになるので、肘掛け１２に作用している上昇する力によりストッパ４０の先端部は、このストッパ４０を付勢しているコイルばね３９に抗して肘掛け基部１５の開口１９から完全に抜け出すことになる。したがって、肘掛け基部１５は、被拘束部材２３とともに案内部材１４に沿って上昇することになる。
【００５５】
そして、この肘掛け基部１５および被拘束部材２３の上昇時、ストッパ阻止部材２９には傾斜頂面３０が形成されているので、ストッパ４０の先端に傾斜斜面３０が摺動するようにしてストッパ阻止部材２９はストッパ４０を乗り越えてストッパ４０の上方に移動することができる。したがって、肘掛け１２の肘掛け本体１３の上面が固定肘掛け８の固定肘掛け本体９の上面と面一になるまで、肘掛け１２を一気に上昇させることができる。
【００５６】
このようにして肘掛け１２の肘掛け本体１３の上面が固定肘掛け８の固定肘掛け本体９の上面と面一になったら、レバー３５から指を離す。すると、コイルばね３４の付勢力により被拘束部材２３が肘掛け基部１５に対して上方に相対移動され、ストッパ４０が肘掛け基部１５のいずれかの開口１７を介して被拘束部材２３のいずれかの凹部２５に嵌合され肘掛け１３が固定される。この状態は前述した図４に戻った状態となる。
【００５７】
以上説明したように、本実施形態の椅子型便器の肘掛け昇降機構によれば、レバー３５を操作するのみで、簡単に肘掛けを昇降させることができる。しかも、レバー３５は肘掛け本体１３の裏面近傍に配設されているので、使用者がきわめて容易にレバー３５を操作して肘掛け１２の高さ調整を行うことができる。
【００５８】
また、肘掛け本体１３が座板６の上面と面一になるように肘掛け１２を下降させる際には、途中でストッパ４０にストッパ阻止部材２９が当接して肘掛け１２が一旦停止するので、肘掛け本体１２と座板６との間に指などを挟んだりするおそれがないため、高齢者であっても安全に使用することができる。
【００５９】
さらに、本実施形態の椅子型便器の肘掛け昇降機構は、簡単な構成なので、安価に製造することができる。
【００６０】
なお、本発明は、前述した実施の形態に限定されるものではなく、必要に応じて種々の変更が可能である。例えば、駆動部材として、レバー３５に限定されるものではなく、ボタン等種々の構造であってもよい。
【図面の簡単な説明】
【００６１】
【図１】本発明に係る肘掛け昇降機構を適用した椅子型便器の実施形態を示す斜視図
【図２】図１の右側面図
【図３】図１の椅子型便器に適用されている肘掛け昇降機構の実施形態を示す分解斜視図
【図４】図３の作用を示す縦断面図で、肘掛けが通常の位置にあることを示す図
【図５】図３の作用を示す縦断面図で、図４に示す状態においてレバーを引き上げた状態を示す図
【図６】図３の作用を示す縦断面図で、肘掛けを下降している途中状態を示す図
【図７】図３の作用を示す縦断面図で、図６に示す状態においてレバーから手を離した状態を示す図
【図８】図３の作用を示す縦断面図で、肘掛けが最大限下降した状態を示す図
【図９】図３の作用を示す縦断面図で、図８に示す状態においてレバーを引き上げた状態を示す図
【符号の説明】
【００６２】
１  椅子型便器
２  椅子本体
６  座板
７  側板
８  固定肘掛け
９  固定肘掛け本体
１１  肘掛け昇降機構
１２  肘掛け
１３  肘掛け本体
１４  案内部材
１５  肘掛け基部
１７  開口
１８  下降停止用開口
１９  最上位の開口
２３  被拘束部材
２５  凹部
２６  下降停止用凹部
２８，３４，３９  コイルばね
２９  ストッパ阻止部材
３０  傾斜頂面
３１  最上部の凹部
３３  蓋体
３５  レバー
４０  ストッパ
【図１】
2006087461.tif 000003
【図２】
2006087461.tif 000004
【図３】
2006087461.tif 000005
【図４】
2006087461.tif 000006
【図５】
2006087461.tif 000007
【図６】
2006087461.tif 000008
【図７】
2006087461.tif 000009
【図８】
2006087461.tif 000010
【図９】
2006087461.tif 000011